(57)【要約】【課題】体液漏れを防止しつつ、下着に対するフィット感を向上させることが可能な吸収性物品を提供する。【解決手段】表面シート１１又は裏面シート１２のＹ方向各端部から突出して、それぞれ吸収体１３のＹ方向の半面を覆うように設けられた一対のギャザーシート１４，１４を備える。また、ギャザーシート１４のＸ方向の一端部及び他端部は、表面シート１１に接着され、ギャザーシート１４のＸ方向の他端部からＸ方向中央部に至る途中の位置まで、当該ギャザーシート１４がＹ方向の先端部同士が合わさった状態で表面シート１１に接着されている。また、ギャザーシート１４のＹ方向の先端部には、ギャザーを形成する糸ゴムが設けられている。【選択図】図１
2015053997.tif 000002
【特許請求の範囲】
【請求項１】
透液性の表面シートと、不透液性の裏面シートと、前記表面シートと前記裏面シートとの間に介装される吸収体と、を備える吸収性物品であって、
前記表面シート又は前記裏面シートの幅方向各端部から突出して、それぞれ前記吸収体の幅方向の半面を覆うように設けられた一対のギャザーシートを備え、
前記ギャザーシートの幅方向の先端部には、ギャザーを形成する弾性部材が設けられ、
前記ギャザーシートの長手方向の一端部及び他端部は、前記表面シートに接着され、
前記ギャザーシートの長手方向の他端部から長手方向中央部に至る途中の位置まで、当該ギャザーシートが幅方向の先端部同士が合わさった状態で前記表面シートに接着されていることを特徴とする吸収性物品。
【請求項２】
前記裏面シートの長手方向の他端部側に、幅方向中央部を挟んでそれぞれ接着部を設けたことを特徴とする請求項１に記載の吸収性物品。
【請求項３】
前記接着部は、幅方向中央部を折り目として長手方向他端部側を折り合わせた際に、接着部同士が重ならないように配置されていることを特徴とする請求項２に記載の吸収性物品。
【請求項４】
前記吸収体の長手方向他端部の幅方向中央部に、スリット又はエンボスが形成されていることを特徴とする請求項１〜３のいずれか一項に記載の吸収性物品。
【請求項５】
前記吸収体は、
前記吸収性物品の長手方向一端部から長手方向他端部にかけて延在する下層吸収体と、
前記下層吸収体の表面側に配置され、前記吸収性物品の長手方向一端部から前記ギャザーシートの長手方向中央部に至る途中の位置まで延在する上層吸収体と、
を備えることを特徴とする請求項１〜４のいずれか一項に記載の吸収性物品。
【発明の詳細な説明】
【技術分野】
【０００１】
本発明は、吸収性物品に関する。
【背景技術】
【０００２】
従来、高齢者・障害者等の成人用の吸収性物品として、液透過性の表面シートと、液不透過性の裏面シートと、両シートの間に介装された吸収体と、を備えた使い捨ておむつや尿取りパッドが広く利用されている。
【０００３】
上記のような吸収性物品として、表面シート、吸収体、及び裏面シートの３層が摘まれて形成された２つの内側摘み部及び３つの外側摘み部により構成される装着部を備えたものが知られている（例えば、特許文献１参照）。特許文献１記載の吸収性物品によれば、装着部が装着者の人体の膨らみや凹みに沿う立体形状を有しているため、装着者の人体へのフィット性や装着感を向上させることができる。
【先行技術文献】
【特許文献】
【０００４】
【特許文献１】特開２００９−１１２７１０号公報
【発明の概要】
【発明が解決しようとする課題】
【０００５】
しかしながら、上記特許文献１記載の吸収性物品では、装着者がトランクス形状の男性用下着を着用している場合に、図９に示すように、当該男性用下着２０の山状股間部２１への接着面積Ｍ２が小さいため、吸収性物品１０１がズレやすく、尿などの体液漏れを誘発しやすいという問題がある。
【０００６】
本発明は、体液漏れを防止しつつ、下着に対するフィット感を向上させることが可能な吸収性物品を提供することを目的とする。
【課題を解決するための手段】
【０００７】
請求項１に記載の発明は、上記目的を達成するためになされたものであり、
透液性の表面シートと、不透液性の裏面シートと、前記表面シートと前記裏面シートとの間に介装される吸収体と、を備える吸収性物品であって、
前記表面シート又は前記裏面シートの幅方向各端部から突出して、それぞれ前記吸収体の幅方向の半面を覆うように設けられた一対のギャザーシートを備え、
前記ギャザーシートの幅方向の先端部には、ギャザーを形成する弾性部材が設けられ、
前記ギャザーシートの長手方向の一端部及び他端部は、前記表面シートに接着され、
前記ギャザーシートの長手方向の他端部から長手方向中央部に至る途中の位置まで、当該ギャザーシートが幅方向の先端部同士が合わさった状態で前記表面シートに接着されていることを特徴とする。
【０００８】
請求項２に記載の発明は、請求項１に記載の吸収性物品において、
前記裏面シートの長手方向の他端部側に、幅方向中央部を挟んでそれぞれ接着部を設けたことを特徴とする。
【０００９】
請求項３に記載の発明は、請求項２に記載の吸収性物品において、
前記接着部は、幅方向中央部を折り目として長手方向他端部側を折り合わせた際に、接着部同士が重ならないように配置されていることを特徴とする。
【００１０】
請求項４に記載の発明は、請求項１〜３のいずれか一項に記載の吸収性物品において、
前記吸収体の長手方向他端部の幅方向中央部に、スリット又はエンボスが形成されていることを特徴とする。
【００１１】
請求項５に記載の発明は、請求項１〜４のいずれか一項に記載の吸収性物品において、
前記吸収体は、
前記吸収性物品の長手方向一端部から長手方向他端部にかけて延在する下層吸収体と、
前記下層吸収体の表面側に配置され、前記吸収性物品の長手方向一端部から前記ギャザーシートの長手方向中央部に至る途中の位置まで延在する上層吸収体と、
を備えることを特徴とする。
【発明の効果】
【００１２】
本発明によれば、体液漏れを防止しつつ、下着に対するフィット感を向上させることができる。
【図面の簡単な説明】
【００１３】
【図１】本実施形態に係る吸収性物品の斜視図である。
【図２】図１のＩＩ−ＩＩ線における断面図である。
【図３】図１のＩＩＩ−ＩＩＩ線における断面図である。
【図４】本実施形態に係る吸収性物品を男性用下着に装着したときの一例について示した図である。
【図５】変形例１に係る吸収性物品の斜視図である。
【図６】変形例２に係る吸収性物品の斜視図である。
【図７】変形例３に係る吸収性物品の吸収体の平面図である。
【図８】変形例４に係る吸収性物品の吸収体の平面図及び側面図である。
【図９】従来技術に係る吸収性物品を男性用下着に装着したときの一例について示した図である。
【発明を実施するための形態】
【００１４】
以下、本発明の実施の形態を、図面を参照しながら詳細に説明する。
【００１５】
吸収性物品は、例えば、夜用又は長時間用の尿取りパッドであり、人体に装着される外装体（図示省略）と併せて着脱・交換自在に使用される。本実施形態に係る吸収性物品は、特に、トランクス形状の男性用下着と併せて使用される。以下の説明においては、吸収性物品として、インナーパッド１を例示して説明する。
なお、以下の説明では、図１に示す面を表面、表面の反対側の面を裏面とする。また、インナーパッド１の長手方向をＸ方向、Ｘ方向と直交する一の方向（インナーパッド１の幅方向）をＹ方向とする。
【００１６】
インナーパッド１は、図１〜図３に示すように、着用者の身体との接触面側（表面側）に設けられる透液性の表面シート１１と、装着時に身体との接触面と反対側の面側（裏面側）に設けられる不透液性の裏面シート１２と、表面シート１１と裏面シート１２との間に介装される吸収体１３と、表面シート１１側における吸収体１３のＹ方向各端部から、それぞれ吸収体１３のＹ方向の半面を覆うように設けられた一対のギャザーシート１４，１４と、を備えて構成される。
【００１７】
表面シート１１は、尿などの水様成分を含む体液等を受けて、吸収体１３まで輸送する役割を果たす、透液性のシートである。
透液性のシートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。なお、表面シート１１に多数の透孔を形成した場合には、体液がより速やかに吸収されるようになり、ドライタッチ性に優れたものとなる。
【００１８】
裏面シート１２は、体液等がインナーパッド１の外部へと染み出したり漏れ出したりすることを防ぐ役割を果たす、不透液性のシートである。
不透液性のシートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。その他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００１９】
表面シート１１及び裏面シート１２は、吸収体１３よりも幅広に形成されており、吸収体１３よりもＹ方向（幅方向）外側の部分が所定の接着剤によって互いに接着されている。
表面シート１１及び裏面シート１２のうち吸収体１３よりもＹ方向外側の部分は、所定位置を起点としてインナーパッド１のＹ方向内側に折り返されている。そして、裏面シート１２の折り返された部分（折り返し部１２ａ）には、インナーパッド１の立体ギャザーを構成するギャザーシート１４が貼り付けられている。
なお、ギャザーシート１４は、裏面シート１２の代わりに、表面シート１１に貼り付けられていてもよい。
【００２０】
吸収体１３は、そのＸ方向（長手方向）の長さがインナーパッド１のＸ方向の長さとほぼ等しくなるように配置され、インナーパッド１の使用時に体液等を吸収する役割を果たす。なお、吸収体１３のＸ方向の長さは、必ずしもインナーパッド１のＸ方向の長さと等しくする必要はなく、インナーパッド１よりも短く構成することも可能である。
吸収体１３は、例えば、綿やパルプなどの吸収性素材や、繊維或いはフィルム等のシート状基材に高吸水性樹脂（ＳＡＰ；Super Absorbent Polymer）を混入したものが使用される。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
なお、吸収体１３は、形状保持等のために、例えば、クレープ紙や透液性の不織布や孔開きシートなどの透液性のシート材によって囲繞することが望ましい。
【００２１】
ギャザーシート１４，１４は、例えば、不透液性のシートからなり、表面シート１１のＹ方向各端部から突出して、それぞれ吸収体１３のＹ方向の半面を覆うように備えられている。
具体的には、ギャザーシート１４は、裏面シート１２の折り返し部１２ａのうちの表面シート１１側とは反対側の面に貼り付けられている。ギャザーシート１４のＹ方向の先端部には、ギャザーを形成する弾性部材としての複数本の糸ゴム１４ａ，…が、ギャザーシート１４のＸ方向に沿って略平行に配設されている。
また、ギャザーシート１４は、Ｘ方向の一端部（図１中右上側の端部）及び他端部（図１中左下側の端部）が、表面シート１１に接着されている。また、ギャザーシート１４は、Ｘ方向他端部からＸ方向中央部に至る途中の位置まで、当該ギャザーシート１４がＹ方向の先端部同士が合わさった状態で、表面シート１１に接着されている。
なお、複数本の糸ゴム１４ａ，…は、Ｘ方向他端部からＸ方向中央部に至る途中の位置まで、即ち、ギャザーシート１４がＹ方向の先端部同士が合わさった状態で表面シート１１に接着されている部分において、伸張状態で配置されている。
【００２２】
次に、本実施形態のインナーパッド１の作用について説明する。
本実施形態に係るインナーパッド１によれば、ギャザーシート１４のＸ方向の他端部側において、糸ゴム１４ａの収縮により、Ｙ方向中央部（折曲部１５）を折り目としてＹ方向両端部が裏面方向に折れ曲がる。Ｙ方向両端部が裏面方向に折れ曲がることで、インナーパッド１のＸ方向他端部側が山折り状に形成される。この山折り状に形成された部分を、トランクス形状の男性用下着２０の山状股間部２１に合わせることで、山状股間部２１への接着面積Ｍ１を大きくすることができ、フィット感を向上させることができる（図４参照）。
また、ギャザーシート１４のＹ方向の先端部同士が合わさった部分に伸張状態の糸ゴム１４ａ，…を配置することで、トランクス形状の男性用下着２０の山状股間部２１のカーブに沿わせた形状とすることができ、フィット感を向上させることができる。
また、本実施形態に係るインナーパッド１によれば、ギャザーシート１４のＸ方向の一端部側に、ポケットＰが形成される。山折り状に形成された部分をトランクス形状の男性用下着２０の山状股間部２１に合わせると、ポケットＰ内に男性器を収容することができる。ポケットＰ内に排出された尿などの体液は、表面シート１１を透過して吸収体１３に吸収される。このように、ポケットＰが形成されることで、体液が外部に漏れ出すのを防止することができる。
【００２３】
以上のように、本実施形態に係るインナーパッド１は、表面シート１１又は裏面シート１２のＹ方向各端部から突出して、それぞれ吸収体１３のＹ方向の半面を覆うように設けられた一対のギャザーシート１４，１４を備える。また、ギャザーシート１４のＸ方向の一端部及び他端部は、表面シート１１に接着され、ギャザーシート１４のＸ方向の他端部からＸ方向中央部に至る途中の位置まで、当該ギャザーシート１４がＹ方向の先端部同士が合わさった状態で表面シート１１に接着されている。
これにより、ギャザーシート１４のＸ方向の一端部側に、男性器を収容可能なポケットＰが形成されるので、ポケットＰ内に排出された尿などの体液が外部に漏れ出すのを防止することができる。
また、本実施形態に係るインナーパッド１によれば、ギャザーシート１４のＹ方向内側の端部には、ギャザーを形成する糸ゴム１４ａが設けられている。
これにより、ギャザーシート１４のＸ方向の他端部側において、糸ゴム１４ａの収縮により、インナーパッド１のＸ方向の他端部側が山折り状に形成されるので、トランクス形状の男性用下着２０に対するインナーパッド１のフィット感を向上させることができる。
また、ギャザーシート１４のＹ方向の先端部同士が合わさった部分に伸張状態の糸ゴム１４ａ，…を配置することで、トランクス形状の男性用下着２０の山状股間部２１のカーブに沿わせた形状とすることができ、フィット感を向上させることができる。
【００２４】
以上、本発明に係る実施形態に基づいて具体的に説明したが、本発明は上記実施形態に限定されるものではなく、その要旨を逸脱しない範囲で変更可能である。
【００２５】
＜変形例１＞
例えば、図５に示す例では、実施形態のインナーパッド１と比べ、接着部１６が設けられている点が異なっている。なお、説明の簡略化のため、実施形態と同様の構成については、同一の符号を付して、その詳細な説明を省略する。
具体的には、変形例１に係るインナーパッド１Ａは、図５に示すように、裏面シート１２のＸ方向の他端部（図５中左下側の端部）側に、Ｘ方向に沿って接着部１６、１６が設けられている。接着部１６、１６は、裏面シート１２のＹ方向の一端部（図５中左上側の端部）側と、裏面シート１２のＹ方向中央部、即ち、折曲部１５のＹ方向の他端部（図５中右下側の端部）側と、にそれぞれ設けられている。即ち、接着部１６、１６は、折曲部１５を折り目としてインナーパッド１ＡのＸ方向の他端部側が折り合わさった場合であっても、接着部１６、１６同士が重ならないように配置されている。
接着部１６、１６は、接着剤が塗布されて形成されており、接着剤として、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することができ、それ以外にホットメルト接着剤などの既知の接着剤も使用可能である。
【００２６】
以上のように、変形例１に係るインナーパッド１Ａによれば、裏面シート１２のＸ方向の他端部側に、Ｙ方向中央部を挟んでそれぞれ接着部１６、１６を設けているので、インナーパッド１をトランクス形状の男性用下着２０に装着した際に、接着部１６、１６が男性用下着２０に接着する。従って、変形例１に係るインナーパッド１Ａによれば、インナーパッド１の位置ズレを防止して、フィット感を更に向上させることができる。
また、変形例１に係るインナーパッド１Ａによれば、接着部１６、１６は、Ｙ方向中央部を折り目としてＸ方向の他端部側を折り合わせた際に、接着部１６、１６同士が重ならないように配置されているので、インナーパッド１をトランクス形状の男性用下着２０に装着させる際に、接着部１６、１６同士が接着して装着作業が難航する事態を回避することができる。
【００２７】
＜変形例２＞
また、図６に示す例では、変形例１のインナーパッド１Ａと比べ、接着部１６、１６の構成が異なっている。なお、説明の簡略化のため、実施形態と同様の構成については、同一の符号を付して、その詳細な説明を省略する。
具体的には、変形例２に係るインナーパッド１Ｂは、図６に示すように、裏面シート１２のＸ方向他端部（図６中左下側の端部）側に、Ｘ方向に沿って接着部１６Ｂ、…が間欠に配置されている。接着部１６Ｂ、…は、裏面シート１２の折曲部１５とＹ方向各端部との略中間位置に配置されている。即ち、接着部１６Ｂ、…は、折曲部１５を折り目としてインナーパッド１ＡのＸ方向の他端部側が折り合わさった場合であっても、他方の接着部１６Ｂ、…と接着しないように配置されている。
以上のように、変形例２に係るインナーパッド１Ｂによれば、接着部１６Ｂ、…が間欠に配置されているので、変形例１と同様の効果を得られる他、インナーパッド１をトランクス形状の男性用下着２０に装着させる際の自由度を向上させることができる。
【００２８】
＜変形例３＞
また、図７に示す例では、実施形態のインナーパッド１と比べ、吸収体１３の構成が異なっている。なお、説明の簡略化のため、実施形態と同様の構成については、同一の符号を付して、その詳細な説明を省略する。
具体的には、変形例３に係る吸収体１３Ｃは、図７に示すように、Ｘ方向他端部（図７中下端部）側のＹ方向中央部に、Ｘ方向に沿ってスリット１３１が形成されている。即ち、折曲部１５が形成される位置に合わせて、スリット１３１が形成されている。
【００２９】
以上のように、変形例３に係るインナーパッド１Ｃによれば、吸収体１３ＣのＸ方向他端部のＹ方向中央部に、スリット１３１が形成されているので、折曲部１５を折り目としてＹ方向両端部を裏面方向に容易且つ確実に折り曲げることができ、インナーパッド１Ｃの装着作業を容易に行うことができる。
【００３０】
なお、変形例３では、吸収体１３Ｃにスリット１３１を形成する構成を例示して説明しているが、これに限定されるものではない。例えば、スリット１３１の代わりとして、吸収体１３ＣのＸ方向他端部側のＹ方向中央部に、Ｘ方向に沿ってエンボスを形成するようにしてもよい。
【００３１】
＜変形例４＞
また、図８に示す例では、実施形態のインナーパッド１と比べ、吸収体１３の構成が異なっている。なお、説明の簡略化のため、実施形態と同様の構成については、同一の符号を付して、その詳細な説明を省略する。
具体的には、変形例４に係る吸収体１３Ｄは、図８に示すように、第１吸収体（下層吸収体）１３２と、第２吸収体（上層吸収体）１３３と、を備えて構成されている。第１吸収体１３２は、実施形態の吸収体１３と同様の形状、即ち、インナーパッド１ＤのＸ方向一端部からＸ方向他端部にかけて延在するように形成されている。第２吸収体１３３は、第１吸収体１３２の表面側に配置され、インナーパッド１ＤのＸ方向一端部からギャザーシート１４のＸ方向中央部に至る途中の位置まで延在するように形成されている。即ち、吸収体１３Ｄは、図８（Ａ）及び図８（Ｂ）に示すように、Ｘ方向一端部（図８（Ａ）中上端部）側が２層で形成され、Ｘ方向他端部（図８（Ａ）中下端部）側が１層で形成されている。
第１吸収体１３２は、当該第１吸収体１３２の内部を移動可能な高吸収性ポリマー粒子のような高吸水性樹脂のみから形成される、ポリマー粒子含有層である。
第２吸収体１３３は、綿やパルプなどの吸収性素材から形成されている。
【００３２】
以上のように、変形例４に係るインナーパッド１Ｄによれば、吸収体１３Ｄは、インナーパッド１ＤのＸ方向一端部からＸ方向他端部にかけて延在する第１吸収体１３２と、第１吸収体１３２の表面側に配置され、インナーパッド１ＤのＸ方向一端部からギャザーシート１４のＸ方向中央部に至る途中の位置まで延在する第２吸収体１３３と、を備えるので、折曲部１５が形成されるＸ方向他端部側を折り曲げにくくすることなく、折曲部１５が形成されないＸ方向一端部側の吸収力を高めることができる。
【００３３】
なお、変形例４では、吸収体１３ＤのＸ方向他端部のＹ方向中央部にスリット１３１を形成しない構成を例示して説明しているが、これに限定されるものではない。即ち、吸収体１３ＤのＸ方向他端部のＹ方向中央部にスリット１３１を形成する構成としてもよい。
また、変形例４では、第１吸収体１３２と第２吸収体１３３とが異なる構造である場合を例示して説明しているが、これに限定されるものではない。即ち、第１吸収体１３２と第２吸収体１３３とが同一の構造であってもよく、例えば、ともに高吸水性樹脂のみから形成されるポリマー粒子含有層としてもよい。
【００３４】
＜その他の変形例＞
また、上記実施形態では、インナーパッド１のＸ方向の一端部側において、ギャザーシート１４のＸ方向の一端部のみを表面シート１１に接着させるようにしているが、これに限定されるものではない。即ち、ギャザーシート１４のＸ方向の一端部のみならず、ポケットＰを形成可能な程度にＸ方向一端部からＸ方向中央部に至る途中の位置まで表面シート１１に接着させるようにしてもよい。
また、上記実施形態では、弾性部材として糸ゴム１４ａ，…を例示して説明しているが、これに限定されるものではない。例えば、糸ゴム１４ａ，…の代わりに、帯状のゴムを用いるようにしてもよい。
【００３５】
その他、インナーパッド１の細部構成に関しても、本発明の趣旨を逸脱することのない範囲で適宜変更可能である。
【符号の説明】
【００３６】
１、１Ａ〜１Ｄ  インナーパッド
１１  表面シート
１２  裏面シート
１３、１３Ｃ、１３Ｄ  吸収体
１３１  スリット
１３２  第１吸収体（下層吸収体）
１３３  第２吸収体（上層吸収体）
１４  ギャザーシート
１４ａ  糸ゴム（弾性部材）
１５  折曲部
１６、１６Ｂ  接着部
２０  男性用下着
２１  山状股間部
【図１】
2015053997.tif 000003
【図２】
2015053997.tif 000004
【図３】
2015053997.tif 000005
【図４】
2015053997.tif 000006
【図５】
2015053997.tif 000007
【図６】
2015053997.tif 000008
【図７】
2015053997.tif 000009
【図８】
2015053997.tif 000010
【図９】
2015053997.tif 000011